(57)【要約】【課題】滑らかな軸受の使用または大きなローラ軸受の使用を必要としない、遊星サテライトのアセンブリ構成を提供する。【解決手段】サテライト３は、そのシャフト１上で多数の分配された軸受、特にローラ軸受６によって支持され、構成は、穴の長さに沿って互いに面する、シャフト１の部分と、サテライト３の内側部分を形成するブッシング７の部分との剛性が同様であるため、良好な力分布性能を保つ。したがって、サテライトの何らかの変形は、シャフトの同様の変形に対応し、各軸受の回転要素は同様の荷重を伝達し続ける。【選択図】      図１
2004225897.tif 000002
【特許請求の範囲】
【請求項１】
遊星サテライト（３）のためのアセンブリ構成であって、前記遊星サテライトを通る穴（２）と、前記穴（２）を貫通するシャフト（１）と、前記穴（２）に配置された軸受（６）とを具備し、少なくとも３つの軸受が、前記穴に規則的に配置され、かつ回転要素から構成され、前記シャフト（１）および前記遊星サテライト（３）がそれぞれ、前記穴の長さに沿って軸受支持ブッシング（１、７）を含み、前記軸受支持ブッシングが、前記穴（２）において互いに面する各対の部分で同様の剛性を有することを特徴とする、遊星サテライトのためのアセンブリ構成。
【請求項２】
前記回転要素がローラであり、前記軸受支持ブッシングが、ローラ回転トラックを含み、軸受支持ブッシングの一方が、前記ローラ回転トラック（９）を形成するために機械加工されることを特徴とする、請求項１に記載の遊星サテライトのためのアセンブリ構成。
【発明の詳細な説明】
【技術分野】
【０００１】
本発明の主題は、遊星サテライトのためのアセンブリ構成である。
【背景技術】
【０００２】
これらの装置で常に直面する困難の１つは、サテライトを支持シャフトに接続する軸受けに加えられ、かつ穴を通って支持シャフトに入る大きな荷重である。
【０００３】
したがって、一部がそのシャフトを中心として回転し、穴の端部近傍に一対のローラ軸受を具備する従来のアセンブリ構成は、この場合は殆ど適合されない。なぜなら、従来のアセンブリ構成は、サテライトの径が、遊星歯車列の一般的な構成によって制限される適用において、大きな軸受を使用することを必要とするからである。１つの代替解決方法は、ローラ軸受の対を、穴を通ってほぼ完全に貫通する単一の滑らかな軸受と交換することからなるが、この滑らかな軸受は、油の流れによって潤滑されなければならず、無駄が多い（米国特許第５１０２３７９号明細書は、この構成の例を含む）。
【０００４】
滑らかな軸受の使用、または大きなローラ軸受の使用を必要としない別の解決方法が、本明細書に示される。
【０００５】
【特許文献１】米国特許第５１０２３７９号明細書
【特許文献２】独国特許出願公開第３３２５７８１号明細書
【特許文献３】米国特許第１５６５６６２号明細書
【特許文献４】独国実用新案出願公開第８７１７２６８号明細書
【特許文献５】英国特許出願公開第１２７８４８７号明細書
【発明の開示】
【発明が解決しようとする課題】
【０００６】
構成は、穴に規則的に配置されたかなり多数のローラ軸受、少なくとも３つのローラ軸受を具備する。この場合、ローラ軸受は、単一の機械対象物を意味し、この単一の機械対象物は、支持する回転部品の間に、ボール、ローラ、または他の回転要素のリングを具備し、これら回転部品に直接支持されるか、またはリングを介して支持される。リングを介して支持される場合には、軸受は、第１の円と並列な複数の回転要素の他の円を含むことができる。
【０００７】
サテライトによって伝達される荷重は、軸受の間に分配され、したがって、荷重をずっと小さくすることができる。しかし、本発明を完全に理解するために、ローラ軸受の数を増やすことは、必ずしも、ローラ軸受に加えられる力を対応して減少させないことに注意しなければならず、これは、２つのローラ軸受を備えたアセンブリが、幅広く使用されていることを説明する。一般に、異なる軸受を通る荷重を等しくすることは不可能であり、あるローラ軸受は、他のローラ軸受よりもずっと大きな荷重をかけられる。これは、ローラ軸受のサイズを減少することができないことを意味し、したがって、結果として、機構の重量が不必要に増加する。
【課題を解決するための手段】
【０００８】
しかし、穴に沿ってシャフトおよびサテライトに存在する軸受支持ブッシングの剛性が、穴の長さに沿って互いに面する部分の各対で同様であれば、この欠点が無くなることが観察された。したがって、異なる軸受における制約は同様であるため、サテライトの何らかの変形は、シャフトの同様の変形に対応し、各軸受の回転要素は同様の荷重を伝達し続ける。
【０００９】
実際、ローラは、ボールよりも大きな荷重を伝達することができるため、普通、回転要素として選ばれる。ローラが線接触を有するため、シャフトおよびサテライトのブッシングの対向部品の剛性が同様であることがさらにより重要であり、様々な変形の結果としてブッシングの平行性における欠陥は、当該軸受ローラによる力伝達能力に対する変化を引き起こす。ローラの使用は、同様に、軸受を小さく保ち、かつ配置を一般的に保つための要件の尊重に寄与する。したがって、ローラの回転トラックが、ブッシング自体に配置されることが好ましく、一方のブッシングは機械加工されて上記回転トラックを形成し、他方のブッシングは滑らかなままであり、したがってリングは使用されない。
【００１０】
本発明は、図１を参照して説明される。
【発明を実施するための最良の形態】
【００１１】
中空シャフト１が、遊星サテライト３を貫通する穴２に押し入れられる。ストップ５が設けられた側面４は、シャフト１のまわりに軸方向にサテライトアセンブリ３を保持する。ローラ軸受（この場合は６個）が、穴２に等しい距離で配置され、全体として参照符号６が付される。サテライト３には内側ブッシング７が設けられ、内側ブッシング７に関して、円筒形内側表面８が、ローラ６のための回転トラックとして作用する。サテライト３の支持シャフト１は、ブッシングの形態で中空であり、その外側表面に円形ノッチ９が設けられる。円形ノッチの底部は、ローラ６内側の回転トラックとして作用し、したがって横方向に動くことはできない。
【００１２】
本発明の１つの本質的な態様は、サテライト３の内側ブッシング７の剛性とシャフト１から構成されるブッシングの剛性とが、同様であるということである。より正確には、穴３の各側のこれら２つのブッシングの対向部分は、通常はそうであるが、同様または同一の材料から作られるのであれば、同様の厚さを有する。したがって、ブッシング７のテーパ状の形状は、端部でより薄く、サテライト３の残りの部分に接続される中心でより厚く、穴２の端部からの距離が減少するにつれて薄くなる、シャフト１の同様のテーパ状の形状に対応する。この構成で、２つのブッシングの変形湾曲を同様にすることがより容易になり、したがって、ローラ６の間に伝達される荷重の平等な共有を維持することが容易になることが判る。ローラ６のいくつかの列を結合するリングの存在が、力のこの均一な分布を乱し得る。ローラ６の各側に作られた変形の類似性を、ローラ６の各円に関して尊重されることをチェックすることが重要である。
【００１３】
２つのブッシングの（またはより一般的にはシャフトとサテライトとの間の）変形は、状況によって、特に材料が異なる場合、剛性材の存在等において、同様の厚さ以外の尊重する基準によって、等しく良好に同様にされ得ることは明らかである。
【図面の簡単な説明】
【００１４】
【図１】本発明の実施形態を示す図である。
【符号の説明】
【００１５】
１  中空シャフト
２  穴
３  遊星サテライト
４  側面
５  ストップ
６  ローラ軸受
７  内側ブッシング
８  円筒形内側表面
９  円形ノッチ
【図１】
2004225897.tif 000003
【外国語明細書】
2004225897.tif 000004
2004225897.tif 000005
2004225897.tif 000006
2004225897.tif 000007
2004225897.tif 000008
2004225897.tif 000009
2004225897.tif 000010
2004225897.tif 000011